(57)【特許請求の範囲】
【請求項１】
介護施設と保育施設を併設した施設の間取り構造であって、
介護施設の施設利用者が利用する設備を備えた介護室と、保育施設の施設利用者が利用する設備を備えた保育室が、隣接する共用のエントランス及び当該エントランスから奥へ連設する複数の共用の部屋によって別々の区画に仕切られており、
上記介護施設と保育施設を併設した施設内の共用の部屋は全て、上記介護施設と保育施設の間に設けられ、
上記複数の共用の部屋には、少なくとも上記介護室又は上記保育室のいずれかを視認可能な窓が設けられた事務室と、水回り設備を備えた水回り室が含まれ、
上記介護室と上記保育室夫々に設けられた水回り室は、上記共用の水回り室の近傍に集約され、
上記共用のエントランスには、上記事務室に通じる出入口と、上記介護室に通じる出入口と、上記保育室に通じる出入口とが備えられ、
上記介護室及び上記保育室からは夫々、上記保育室又は上記介護室を経由することなく、上記共用の事務室へ入退室でき、
外部からは上記介護室、上記保育室、及び上記事務室へは夫々、上記保育室、上記介護室、又は上記事務室のいずれを経由することなく、上記エントランスからのみ入退室できる、
ことを特徴とする間取り構造。
【請求項２】
上記介護室と上記保育室を仕切る共用の水回り室は調理室であり、
上記介護室用の水回り室と上記保育室用の水回りは、トイレである、
請求項１記載の間取り構造。
【請求項３】
上記介護室と上記保育室はさらに、共用のフリースペースで仕切られている、
請求項１又は２記載の間取り構造。
【発明の詳細な説明】
【技術分野】
【０００１】
本発明は、介護施設と保育施設を併設した施設の間取り構造に関する。
【背景技術】
【０００２】
近年、人口の高齢化や核家族化により、介護が必要な老人を預かるための介護施設の需要が増大している。
一方、待機児童の問題が深刻化しているように、共働き世帯の増加や核家族化によって、両親が働いている時間中、乳幼児を預けるための保育施設の需要も増大している。
【０００３】
このように、介護施設と保育施設の需要が増大しているにも関わらず、両施設は圧倒的に不足しているのが現状である。
施設の不足の原因は多々あるが、特に都市部では、法令上の要件を満たせるだけの広さを備えた物件の不足や、そのような広さを確保するのに見合った収益が期待できないことが大きな要因となっている。
【０００４】
この点、特許文献１では、介護施設に保育施設を付設した施設が提案されている。
【先行技術文献】
【特許文献】
【０００５】
【特許文献１】特開２００７−１２８４７７号公報
【発明の概要】
【発明が解決しようとする課題】
【０００６】
上記特許文献１記載の施設は、介護施設に保育施設を付設することにより、介護老人が世代を越えたコミュニケーションの機会を持てる場を提供することを目的としたものであるが、単に介護施設に保育施設を付設しただけでは、施設運営のためにより広いスペースが必要となるだけである。また、両施設の機能が異なることから、スタッフや施設利用者の動線を念頭に置いた間取りでなければ、スタッフも施設利用者も非常に不便な思いをすることになりかねない。
【０００７】
そこで、本発明は、介護施設と保育施設を併設した施設であって、施設全体の広さが有効に活用されると共に、両施設の利用者が利用しやすく、スタッフも従事しやすい施設を提供することを目的とする。
【課題を解決するための手段】
【０００８】
上記目的を達成するため、本発明に係る間取り構造は、介護施設と保育施設を併設した施設の間取り構造であって、介護室と保育室が、共用の事務室で仕切られていることを特徴とする。
なお、本発明における保育施設は、広く保育事業を行うための施設であって、主に０歳から５歳までの乳児あるいは幼児である未就学児を預かるための施設をいう。また、本発明における介護施設は、広く介護事業を行うための施設であって、デイサービスやショートステイ、グループホームのほか、訪問介護や居宅からの相談に応じるための施設としての役割を果たす。
【０００９】
また、上記介護室と上記保育室はさらに、水回り設備を備えた水回り室で仕切られているものとしてもよい。
【００１０】
また、上記水回り室には、上記介護室と上記保護室の共用の水回り室と、上記介護室側に設けられる介護室用の水回り室と、上記保育室用の水回り室と、があり、上記介護室と上記保育室は、上記共用の水回り室で仕切られ、上記介護室用の水回り室は、上記介護室において、上記共用の水回り室の近傍に集約され、上記保育室用の水回り室は、上記保育室において、上記共用の水回り室の近傍に集約されているものとしてもよい。
【００１１】
また、上記介護室と上記保育室を仕切る共用の水回り室は調理室であり、上記介護室用の水回り室と上記保育室用の水回りは、トイレであるものとしてもよい。
【００１２】
また、上記介護室と上記保育室はさらに、共用のエントランスで仕切られているものとしてもよい。
【００１３】
また、上記エントランスには、上記事務室、上記介護室、及び上記保育室への入退室が可能な出入口が設けられているものとしてもよい。
【００１４】
また、上記事務室には、少なくとも上記介護室又は上記保育室のいずれかを視認可能な窓が設けられているものとしてもよい。
【００１５】
また、上記介護室と上記保育室はさらに、共用のフリースペースで仕切られているものとしてもよい。
【００１６】
また、上記共用の部屋は、上記介護室から上記保育室を経由せずに行き来できると共に、上記保育室から上記介護室を経由せずに行き来できるものとしてもよい。
【発明の効果】
【００１７】
本発明によれば、共用施設が介護施設と保育施設の間に設けられていることから、介護施設と保育施設の両施設のスタッフが共用施設を共用しやすい。また、共用施設によって介護施設と保育施設が仕切られることから、間仕切りのためだけの構造を設ける場合に比べ、施設全体の広さを有効に活用でき、各施設に必要な広さを確保しやすい。
【図面の簡単な説明】
【００１８】
【図１】本発明の実施形態に係る間取り構造を示した間取り図である。
【図２】本実施形態に係る間取り構造の他の例を示した間取り図である。
【図３】本実施形態に係る間取り構造の他の例を示した間取り図である。
【発明を実施するための形態】
【００１９】
以下、本発明の実施形態に係る間取り構造について、図を参照して説明する。
本実施形態に係る間取り構造では、図１に示されるように、一つの建物内あるいは室内に、介護施設１と保育施設２が併設されると共に、介護施設１と保育施設２のスタッフ等が共用する共用施設３が設けられている。
なお、以下において、図を参照した説明の便宜のため、図示上方を北向きとして説明することがあるが、本発明の実施において、東西南北の方角は特段の限定事項となるものではない。
【００２０】
介護施設１は、広く介護の必要な老人が、日常生活上必要なサービスを受けるための施設である。本実施形態における介護施設１は、共用施設３の西側に設けられており、介護室１０、トイレ１１、洗面室１２、浴場１３、及び静養室１４を備えている。
なお、介護の必要な老人を受け入れるための介護施設１が備えるべき部屋や広さは、法令上の要請を満足する必要があり、各部屋はその要請を満たしており、図示している部屋以外にも、必要とされる部屋は適宜備えているものとする。
【００２１】
介護室１０は、施設利用者たる介護の必要な老人が食事をする食堂と、機能訓練を行う機能訓練室を兼ねた部屋である。
この介護室１０には、エントランス３０へ通じるドア１０１、フリースペース３２に通じるドア１０２が面している。
【００２２】
介護施設１のスタッフ等は、共用施設３のエントランス３０を介して、建物外と介護室１０を行き来したり、事務室３１と介護室１０を行き来したりすることができる。また、共用施設３のフリースペース３２を介して、厨房３３と介護室１０を行き来したり、事務室３１と介護室１０を行き来したりすることができる。
【００２３】
静養室１４は、法令上の要件に基づいて用意される部屋であって、体調の優れない介護老人などが一時的に休む部屋である。
【００２４】
保育施設２は、主に０歳児から５歳児の保育を行う施設である。本実施形態における保育施設２は、保育室２０、トイレ２１、及び倉庫２２を備えている。
なお、乳児や幼児を預かるための保育施設２が備えるべき部屋や広さは、介護施設１と同様、法令上の要請を満足する必要があり、各部屋はその要請を満たしており、図示している部屋以外にも、必要とされる部屋は適宜備えているものとする。
【００２５】
保育室２０は、主に０歳から１歳児の部屋である乳児室２０ａと、主に２歳児から５歳児の部屋である保育室２０ｂとからなる。乳児室２０ａと保育室２０ｂとは、子供用の柵２０３で仕切られている。
この保育室２０には、エントランス３０に通じるドア２０１、フリースペース３２に通じるドア２０２が面している。
【００２６】
保育施設２のスタッフ等は、共用施設３のエントランス３０を介して、建物外と保育室２０を行き来したり、事務室３１と保育室２０を行き来したりすることができる。また、共用施設３のフリースペース３２を介して、厨房３３と保育室２０を行き来したり、事務室３１と保育室２０を行き来したりすることができる。
【００２７】
共用施設３は、介護施設１と保育施設２が共用する施設であって、南から北に向かって順にエントランス３０、事務室３１、フリースペース３２、及び厨房３３が連設している。
この共用施設３は、介護施設１と保育施設２の間に設けられており、介護施設１と保育施設２を東西の別々の区画に仕切っている。また、この共用施設３は、介護施設１のスタッフ等が保育施設２を経由することなく介護施設１と行き来できると共に、保育施設２のスタッフ等が介護施設１を経由することなく保育施設２と行き来できる施設である。したがて、介護施設１のスタッフ等は、保育施設２を通らずにエントランス３０から外へ出たり、事務室３１や厨房３３などに入退室したりできるし、保育施設２のスタッフ等も、介護施設１を通らずにエントランス３０から外へ出たり、事務室３１や厨房３３などに入退室したりできる。
【００２８】
エントランス３０は、建物の出入り口となる空間であって、建物内と外を隔てるドア３０１、介護施設１の介護室１０に通じるドア１０１、保育施設２の保育室２０に通じるドア２０１、共用施設３の事務室３１に通じるドア３１１が面している。
【００２９】
事務室３１は、介護施設１や保育施設２のスタッフなど、施設運営等に関わるスタッフが利用する部屋である。
この事務室３１には、エントランス３０に通じるドア３１１、フリースペース３２に通じるドア３２１が面している。
【００３０】
また、この介護室１０と保育室２０を隔てる事務室３１には、窓３１ａ、３１ｂが設けられている。
窓３１ａは、介護室１０側の壁に設けられた窓であって、事務室１０内から介護室１０内を視認することができる。また、窓３１ｂは、保育室２０側の壁に設けられた窓であって、事務室１０内から保育室２０内を視認することができる。これにより、スタッフが事務室３１内に詰めていても、介護室１０や保育室２０を確認して、施設利用者の安全等に配慮することができる。
【００３１】
フリースペース３２は、多目的用途の部屋である。介護室１０や保育室２０から老人や乳幼児を連れてきて使用するなど、適宜に使用することができる。
このフリースペース３２には、事務室３１に通じるドア３２１、介護室１０に通じるドア１０２、保育室２０に通じるドア２０２、厨房３３に通じるドア３３１が面している。
【００３２】
厨房３３は、食事の用意や調理を行うための部屋であり、水道、ガス、給湯の設備を適宜、備えている。
【００３３】
以上の各部屋を備えた本実施形態に係る間取り構造では、共用施設３が、介護施設１と保育施設２の両施設を仕切ると共に、両施設のスタッフが共用可能に設けられている。これにより、狭い建物あるいは部屋であっても、スペースを無駄にすることなく、介護施設１と保育施設２の両施設を併設することができる。
また、介護施設１及び保育施設２のスタッフが、介護施設１及び保育施設２それぞれにおいて必要とされる事務室３１や厨房３３などの部屋を、互いの施設に踏み入れることなく共用することができるので便利である。
【００３４】
また、介護施設１のトイレ１１、洗面室１２、及び浴場１３といった水回りは、共用施設３の厨房３３の近傍、特に本実施形態では厨房３３に隣接した位置に集約して設けられている。また、保育施設２のトイレ２１も同様に、共用施設３の厨房３３の近傍、特に本実施形態では厨房３３に隣接した位置に集約して設けられている。
このように、共用施設３の厨房３３を中心に、介護施設１のトイレ１１、洗面室１２、浴場１３、及び保育施設２のトイレ２１といった各施設の水回りが、略一直線上に集約して設けられていることから、水道管や排水設備など、水回りの設備が無理なく機能的に配設される。
【００３５】
なお、本実施形態においては、エントランス３０、事務室３１、フリースペース３２、及び厨房３３からなる共用施設３によって介護施設１と保育施設２を仕切るものとしたが、共用施設３は少なくとも事務室３１を備え、介護施設１と保育施設２の間で両施設を仕切ることができればよく、エントランス３０、フリースペース３２、及び厨房３３は必ずしも共用施設３として備えないものとすることもできる。
また、本実施形態において説明したエントランス３０、フリースペース３２、及び厨房３３以外にも、介護施設１や保育施設２で共用可能な部屋あるいは設備を、共用施設３の一部として設けてもよい。このような部屋としては例えば、来賓客用の応接室やスタッフ用のトイレ、介護施設１や保育施設２で利用する物を収納しておくための倉庫のほか、各部屋を繋ぐ通路などがある。
【００３６】
以上のとおり説明した本実施形態に係る間取り構造について、他の例に係る間取りを図２に示す。
図２に示される間取りでは、介護施設４は、介護室４０、トイレ４１、洗面室４２、浴場４３、静養室４４、及び厨房４５を備えている。
また、保育施設５は、１歳以下の乳児を預かる乳児室５０ａと２歳以上の幼児を預かる保育室５０ｂからなる保育室５０、トイレ５１、倉庫５２、及び更衣室５３を備えている。
また、介護施設４と保育施設５を仕切る共用施設６では、南から北に向かって順にエントランス６０、事務室６１、及びフリースペース６２が連設している。
【００３７】
この間取りの例では、介護施設４と保育施設５は、エントランス６０、事務室６１、フリースペース６２で仕切られており、厨房４５は介護室４側の施設として設けられている。そのため、保育施設５のスタッフが厨房４５を利用したい場合には、介護室４０を経由するようになっている。
【００３８】
一方、介護施設４のトイレ４１、洗面室４２、浴場４３、及び厨房４５と、保育施設５のトイレ５１は、略一直線上に並ぶように集約して設けられており、水道管や排水設備など、水回りの設備が無理なく機能的に配設されている。
【００３９】
また、本実施形態に係る間取り構造のさらに別の例に係る間取りを図３に示す。
図３に示される間取りでは、介護施設７は、二部屋からなる介護室７０、トイレ７１、洗面室７２、浴場７３、及び静養室７４を備えている。
また、保育施設８は、１歳以下の乳児を預かる乳児室８０ａと２歳以上の幼児を預かる保育室８０ｂとからなる保育室８０、トイレ８１、沐浴室８２、及び調乳室８３を備えている。
また、介護施設７と保育施設８を仕切る共用施設９には、南から北に向かって順にエントランス９０、事務室９１、相談室９２、フリースペース９３、トイレ９４、倉庫９５、及び厨房９６が連設している。
【００４０】
この間取りの例では、各施設のトイレ７１、洗面室７２、浴場７３、トイレ８１、沐浴室８２、トイレ９４、厨房９６といった水回りの施設が一所に集約して設けられていない。
【００４１】
一方、この例では、介護施設７０及び保育室８０から、フリースペース９３を介して、エントランス９０、事務室９１、相談室９２、トイレ９４、倉庫９５、及び厨房９６へ行き来できるようになっている。これにより、介護施設７及び保育施設８のスタッフ等が、フリースペース９３を経由して、互いの施設に踏み入れることなく共用施設９を共用できるので便利である。
【符号の説明】
【００４２】
１          介護施設
１０        介護室
１１        トイレ
１２        洗面室
１３        浴場
１４        静養室
２          保育施設
２０        保育室
２０ａ      乳児室
２０ｂ      保育室
２１        トイレ
２２        倉庫
３          共用施設
３０        エントランス
３１        事務室
３１ａ      窓
３１ｂ      窓
３２        フリースペース
３３        厨房
４          介護施設
４０        介護室
４１        トイレ
４２        洗面室
４３        浴場
４４        静養室
４５        厨房
５          保育施設
５０        保育室
５０ａ      乳児室
５０ｂ      保育室
５１        トイレ
５２        倉庫
５３        更衣室
６          共用施設
６０        エントランス
６１        事務室
６２        フリースペース
７          介護施設
７０        介護室
７１        トイレ
７２        洗面室
７３        浴場
７４        静養室
８          保育施設
８０        保育室
８０ａ      乳児室
８０ｂ      保育室
８１        トイレ
８２        沐浴室
８３        調乳室
９          共用施設
９０        エントランス
９１        事務室
９２        相談室
９３        フリースペース
９４        トイレ
９５        倉庫
９６        厨房
【図１】
0005619083.tif 000002
【図２】
0005619083.tif 000003
【図３】
0005619083.tif 000004